(57)【特許請求の範囲】
【請求項１】
所定の枚数の紙幣を結束する紙幣結束機構を有する紙幣施封機に着脱自在に構成され、紙幣を結束するための紙帯を略水平に巻回して収納する紙帯収納部を備え、その紙帯収納部から引き出された紙帯を上方または下方に配置された紙幣結束機構へ供給する紙帯供給装置において、
紙帯収納部から引き出された紙帯の面を略鉛直方向にしてその先端部を挟持する紙帯装填手段と、
前記紙帯装填手段から送り出された紙帯の面が略鉛直方向から略水平方向になるように搬送方向を転換しつつ該紙帯を紙帯収納部の上方または下方に配置された紙幣結束機構へ案内する紙帯搬送路を形成する搬送ガイドからなり、前記紙帯装填手段に装填された紙帯の先端部を紙幣結束機構へ送り出す紙帯搬送手段とを設け、
前記搬送ガイドは、
前記紙帯装填手段から略水平方向に送り出された紙帯を捻りながら上方または下方へ案内する捻り部と、
前記捻り部で上方または下方に案内された紙帯を略水平方向に案内する湾曲部とを有し、
前記湾曲部は、前記紙幣施封機に対して着脱可能な紙帯供給装置側に設けられ、前記紙帯を湾曲させて送り出し、前記紙帯の先端を略水平方向に送り出す部位を有することを特徴とする紙帯供給装置。
【請求項２】
請求項１に記載の紙帯供給装置において、
前記搬送ガイドは、紙帯の両面を案内する隙間を保持して紙帯搬送路を形成するようにしたことを特徴とする紙帯供給装置。
【請求項３】
請求項２に記載の紙帯供給装置において、
前記湾曲部の近傍に紙帯を挟持して紙幣結束機構へ送り出す紙帯フィードローラを設けたことを特徴とする紙帯供給装置。
【請求項４】
請求項１、請求項２または請求項３に記載の紙帯供給装置において、
紙幣施封機に装着されると該紙幣施封機の駆動手段が発生する駆動力を前記紙帯搬送手段へ伝達する駆動伝達手段を設け、
前記紙帯搬送手段が、前記駆動伝達手段で伝達された駆動力により紙帯の先端部を紙幣結束機構へ送り出すようにしたことを特徴とする紙帯供給装置。
【請求項５】
請求項１から請求項４のいずれか１項に記載の紙帯供給装置において、
前記紙幣施封機に対して着脱可能な紙帯供給装置側に、前記湾曲部から送り出された前記紙帯を切断するカッタ部が配置されている
ことを特徴とする紙帯供給装置。
【請求項６】
所定の枚数の紙幣を結束する紙幣結束機構を有する紙幣施封機に着脱自在に構成され、紙幣を結束するための紙帯を略水平に巻回して収納する紙帯収納部を備え、その紙帯収納部から引き出された紙帯を上方または下方に配置された紙幣結束機構へ供給する紙帯供給装置を有する紙幣施封機において、
前記紙帯供給装置は、
紙帯収納部から引き出された紙帯の面を略鉛直方向にしてその先端部を挟持する紙帯装填手段と、
前記紙帯装填手段から送り出された紙帯の面が略鉛直方向から略水平方向になるように搬送方向を転換しつつ該紙帯を紙帯収納部の上方または下方に配置された紙幣結束機構へ案内する紙帯搬送路を形成する搬送ガイドからなる紙帯搬送手段とを設け、
前記搬送ガイドは、
前記紙帯装填手段から略水平方向に送り出された紙帯を捻りながら上方または下方へ案内する捻り部と、
前記捻り部で上方または下方に案内された紙帯を略水平方向に案内する湾曲部とを有し、
前記湾曲部は、前記紙幣施封機に対して着脱可能な紙帯供給装置側に設けられ、前記紙帯を湾曲させて送り出し、前記紙帯の先端を略水平方向に送り出す部位を有することを特徴とする紙幣施封機。
【発明の詳細な説明】
【技術分野】
【０００１】
本発明は、銀行や郵便局等の金融機関や大型ディスカウント店等の流通業の店舗等に設置され、紙幣の計数や所定の枚数の紙幣を紙帯で小束結束等する紙幣施封機に搭載される紙帯供給装置に関し、特に紙幣を小束結束する紙幣結束機構に紙帯を供給する紙帯供給装置および紙幣施封機に関する。
【背景技術】
【０００２】
従来の紙帯供給装置は、紙幣の束を施封するための紙帯を水平方向にロール状に収納した紙帯リールトレイ部、その紙帯リールトレイ部から引き出した紙帯に通番、店番、担当番号等を印刷する印刷部、および印刷した紙帯を切断するカッタ部等を経由して紙幣を結束する紙幣結束機構へ紙帯を送り出すための紙帯フィード部等を備えている（例えば、特許文献１参照）。
【特許文献１】特開２０００−１９０９１３号公報（段落「００６７」〜段落「００７０」、図５）
【発明の開示】
【発明が解決しようとする課題】
【０００３】
しかしながら、上述した従来の技術においては、新たな紙帯を紙帯供給装置に装填する場合、係員等の手作業により、ロール状に巻かれた紙帯を水平方向にして紙帯リールトレイ部に装着し、その紙帯の端部を紙帯リールトレイ部から引き出し、搬送方向を変換するために捻り、あるいはローラに巻き付けて印刷部、カッタ部等を経由するように紙帯フィード部にセットする必要があるが、このとき紙帯の捻る方向を誤ると接着剤が塗布された面が外側になってしまい紙幣の束を施封することができなくなり、またローラへの巻き付け方向を誤ると紙帯の搬送時の挙動が不安定になり紙帯の詰まり等の装置故障が発生してしまうという問題がある。
【０００４】
本発明は、このような問題を解決することを課題とし、紙帯を紙帯供給装置に装填する係員の誤操作を防止して装置の信頼性を向上させることを目的とする。
【課題を解決するための手段】
【０００５】
そのため、本発明による紙帯供給装置は、所定の枚数の紙幣を結束する紙幣結束機構を有する紙幣施封機に着脱自在に構成され、紙幣を結束するための紙帯を略水平に巻回して収納する紙帯収納部を備え、その紙帯収納部から引き出された紙帯を上方または下方に配置された紙幣結束機構へ供給する紙帯供給装置において、紙帯収納部から引き出された紙帯の面を略鉛直方向にしてその先端部を挟持する紙帯装填手段と、前記紙帯装填手段から送り出された紙帯の面が略鉛直方向から略水平方向になるように搬送方向を転換しつつ該紙帯を紙帯収納部の上方または下方に配置された紙幣結束機構へ案内する紙帯搬送路を形成する搬送ガイドからなり、前記紙帯装填手段に装填された紙帯の先端部を紙幣結束機構へ送り出す紙帯搬送手段とを設け、前記搬送ガイドは、前記紙帯装填手段から略水平方向に送り出された紙帯を捻りながら上方または下方へ案内する捻り部と、前記捻り部で上方または下方に案内された紙帯を略水平方向に案内する湾曲部とを有し、前記湾曲部は、前記紙幣施封機に対して着脱可能な紙帯供給装置側に設けられ、前記紙帯を湾曲させて送り出し、前記紙帯の先端を略水平方向に送り出す部位を有することを特徴とする。
【発明の効果】
【０００６】
このようにした本発明は、係員の誤操作を防止して装置の信頼性を向上させることができるという効果が得られる。
【発明を実施するための最良の形態】
【０００７】
以下、図面を参照して本発明による紙帯供給装置および紙幣施封機の実施例を説明する。
【実施例】
【０００８】
図１は実施例における紙幣施封機の概略側面図である。
図１において、１は紙幣の投入部で、装置正面の上部に設けられている。２は紙幣の真偽、金種、正損、表裏等の鑑別、及び計数を行うと共に、搬送異常の検出を行う鑑別部で、装置内に設けられている。３は紙幣の搬送路で、この搬送路３については後で説明する。４は紙幣の表裏反転を行う表裏反転部で、装置内の鑑別部２の後段に位置するように設けられている。
【０００９】
５は結束対象外の金種の紙幣を集積するオープンポケットで、装置の上面に設けられており、このオープンポケット５に集積された紙幣はオペレータが直接アクセスできるものとなっている。６は集積機構で、本実施例においてこの集積機構６には縦１列に４つの一時集積部６ａ〜６ｄが並べて装置内に設けられており、各一時集積部６ａ〜６ｄにそれぞれ予め定められた枚数、例えば本実施例では１００枚の紙幣が集積できるようになっている。なお、一時集積部は４つに限らす３つ以上であればよい。
【００１０】
また、投入部１の一側には図示しない操作部が設けられ、この操作部には紙幣の計数を指示する計数開始ボタン等が設けられている。
８は鑑別部２で金種不明と鑑別されたりあるいは搬送異常が検知されたリジェクト紙幣を集積するリジェクトポケットで、前記投入部１の上方に設けられており、このリジェクトポケット８に集積された紙幣にオペレータが直接アクセスできるものとなっている。
【００１１】
９は移送機構であり、一時集積部６ａ〜６ｄに集積された紙幣、例えば１００枚の紙幣を紙幣クランプ部で挟持し、その紙幣クランプ部を前後動および上下動させて後述する紙幣結束機構へ移送させるものである。
１０は紙幣結束機構であり、移送機構９により移送された紙幣を受け入れ、その紙幣を紙帯で結束するためのものである。詳細は後述する。
【００１２】
１１は紙幣束の放出口であり、紙幣結束機構１０で結束した紙幣束を放出するためのものである。
また、装置上面においてオープンポケット５の後方に位置するように操作表示部１３が設けられ、その操作表示部１３はＬＣＤとその表面に配置したタッチパネルによって構成されており、オペレータは操作表示部１３を操作してモードの指定や、一時集積部６ａ〜６ｄに集積する紙幣に金種、集積順序等の設定を行うものとなっている。
【００１３】
さらに、この操作表示部１３には鑑別部２で鑑別された紙幣の金種や正損及び計数結果等の表示も行われる。
ここで搬送路３について説明する。紙幣施封機内の上部において搬送路３は３ａ〜３ｅから成り、搬送路３ａは投入部１から鑑別部２を経て分岐点３ｆにいたるように設けられ、搬送路３ｂは分岐点３ｆからリジェクトポケットにいたるように設けられている。
【００１４】
また、搬送路３ｃは分岐点３ｆから表裏反転部４を経て分岐点３ｇにいたるように設けられており、そして搬送路３ｄは分岐点３ｇから装置の下部に伸びて集積機構６の一時集積部６ａ〜６ｄに沿うように設けられ、更に搬送路３ｅは分岐点３ｇからオープンポケット５にいたるように設けられている。
なお、分岐点３ｆ、３ｇのそれぞれの近傍には紙幣の搬送方向を切替える図示しない切替えブレードが設けられ、図示しない制御部により動作制御されるものとなっている。
【００１５】
図２は実施例における紙幣結束機構および紙帯供給装置の側面図、図３は実施例における紙帯供給装置の斜視図である。
図２および図３において、２０は紙帯供給装置であり、紙幣を結束するための紙帯を紙幣結束機構１０へ供給するためにトレイ状に形成されたものである。
２１は紙帯であり、紙テープ等の紙幣を結束するためのものである。
【００１６】
２２は紙帯収納部としての紙帯リール部であり、略水平方向にロール状に巻かれた紙帯２１を回転自在に載置するためのものである。なお、本実施例では、紙帯リール部２２は紙幣結束機構１０の下方に配置されているものとして説明するが、それに限られることなく紙幣結束機構１０の上方に配置されたものであってもよい。
２３は紙帯搬送手段および紙帯装填手段としての紙帯フィードローラであり、紙帯リール部２２から引き出された紙帯２１を挟持して送り出すためにその回転軸を略鉛直方向して配置されたものである。この紙帯フィードローラ２３はふたつのローラ（２３ａ、２３ｂ）の外周が接するように対向して配置され、図示しないモータ等の駆動手段および後述する駆動伝達手段等により回転するように構成されている。
【００１７】
また、紙帯フィードローラ２３の一方のローラ（例えば、ローラ２３ｂ）はレール等により摺動自在またはアーム等により回動自在に構成され、他方のローラ（例えば、ローラ２３ａ）に接するように弾性部材等により付勢されている。したがって、紙幣施封機を操作する係員は、紙帯フィードローラ２３の一方のローラを摺動または回動させて紙帯リール部２２に載置された紙帯２１の先端部をふたつのローラ（２３ａ、２３ｂ）の間に挿入し、その紙帯２１の面を鉛直方向にしてその先端部を紙帯搬送手段としての紙帯フィードローラ２３に挟持させ、紙帯２１を装填することができるようになっている。
【００１８】
２４は紙帯搬送手段としての紙帯搬送方向転換部であり、紙帯フィードローラ２３から送り出された紙帯２１を後述する紙帯印字部へ搬送するために搬送方向を転換するためのものである。
この紙帯搬送方向転換部２４は、紙帯リール部２２に巻かれた紙帯２１の略鉛直方向の面が略水平になるように捻って案内する搬送ガイド部材で形成され、図４の実施例における紙帯供給装置の紙帯ルートの説明図に示すように紙帯２１は略鉛直方向の面が略水平になるように案内される。なお、本実施例において、「鉛直」、「水平」の文言は厳密な「鉛直」、「水平」を表すものでなく、「略鉛直」、「略水平」を表すものとする。また、紙帯搬送方向転換部２４の詳細は後述する。
【００１９】
２５は図示しないモータ等の駆動手段に連結される歯車等の駆動伝達手段である。この駆動伝達手段２５で伝達された動力は、さらに図示しない歯車等で伝達されて紙帯フィードローラ２３を回転させることができるようになっている。
２６は紙帯搬送手段としての紙帯フィードローラであり、紙帯搬送方向転換部２４で案内される紙帯２１を搬送するために後述する紙帯搬送方向転換部２４の湾曲部の近傍に設けられたものである。この紙帯フィードローラ２６は、例えば３個のローラで構成され、その一つの紙帯フィードローラ２６ａの回転軸は駆動伝達手段２５の回転軸と同軸になるように構成されて駆動伝達手段２５により伝達される動力で回転可能になっている。また、紙帯フィードローラ２６ｂ、２６ｃは、その外周が紙帯フィードローラ２６ａの外周に接するように対向して配置され、また図示しない弾性部材等により付勢され、紙帯フィードローラ２６ａとの間で紙帯２１を挟持して搬送することができるようになっている。
【００２０】
２７は紙帯搬送手段としての紙帯フィードローラであり、紙帯搬送方向転換部２４から送り出された紙帯２１を挟持して紙幣結束機構１０へ送り出すためのものである。この紙帯フィードローラ２７も紙帯フィードローラ２３と同様にふたつのローラの外周が接するように対向して配置され、図示しないモータ等の駆動手段および駆動伝達手段等により回転するように構成されている。
【００２１】
このように紙帯搬送手段としての紙帯フィードローラ２６、２７や紙帯フィードローラ２３、紙帯搬送方向転換部２４で搬送される紙帯２１は、さらに図示しない紙帯ガイド（紙帯搬送路）で案内されて搬送され、紙帯リール部２２の上方に配置された紙幣結束機構１０へ送り出されるようになっている。
ここで、紙帯搬送方向転換部２４を図５の実施例における紙帯供給装置の紙帯搬送方向転換部の側面図、図６の実施例における紙帯供給装置の要部平面図、図７の実施例における紙帯供給装置の要部斜視図に基づいて説明する。
【００２２】
図５、図６および図７において、３１、３２は搬送ガイドであり、紙帯２１の両面を案内する所定の間隔を保持しながらその紙帯２１を搬送するための紙帯搬送路を板状の部材で形成し、紙帯フィードローラ２３から送り出された紙帯２１を案内して搬送方向を転換させるものである。
この搬送ガイド３１および搬送ガイド３２は、紙帯フィードローラ２３ａの外周面に沿うように湾曲した引き込み部３３、その引き込み部３３の下流（紙帯フィードローラ２３から送り出される方向）が水平方向から上方へ捻るようにして形成された捻り部３４、その捻り部３４の下流が紙帯フィードローラ２６ａの外周面に沿って湾曲した湾曲部３５、さらに湾曲部３５の下流が紙帯リール部２２の上方に向けて水平方向に送り出す部位３６が形成されている。
【００２３】
したがって、この搬送ガイド３１および搬送ガイド３２は、図４に示すように紙帯フィードローラ２３で面を鉛直方向にし、かつ水平方向に送り出された紙帯２１を上方へ捻りつつ、さらにその紙帯２１の面を水平にし、かつ紙帯リール部２２の上方に向けて水平方向（図中矢印が示す方向）に転換して搬送することができるようになっている。
なお、紙帯２１を挟持するために搬送ガイド３１には、紙帯フィードローラ２３ａ、紙帯フィードローラ２６ｂ、および紙帯フィードローラ２６ｃ、搬送ガイド３２には、紙帯フィードローラ２３ｂ、および紙帯フィードローラ２６ａの外周面を露出させるための開口部が設けられている。
【００２４】
このように紙帯搬送方向転換部２４は、搬送ガイド３１、搬送ガイド３２、および紙帯フィードローラ２６等で構成され、紙帯フィードローラ２３で送り出された紙帯２１の面を鉛直方向から水平方向に捻るように案内し、紙帯リール部２２の上方に配置された紙幣結束機構１０へ送り出すために搬送方向を転換する。
図２および図３の説明に戻り、２８は紙帯印字部であり、紙帯搬送方向転換部２４により搬送され、紙帯フィードローラ２６、２７で紙帯搬送路上を搬送される紙帯２１にインクリボンを介して結束される紙幣の通番・日付・店番等を印刷するものである。
【００２５】
２９はカッタ部であり、紙帯印字部２８で印刷された紙帯２１を所定の長さに切断するためのものである。
このように紙帯供給装置２０は、紙帯リール部２２、紙帯フィードローラ２３、紙帯搬送方向転換部２４、紙帯フィードローラ２６、２７、紙帯印字部２８、およびカッタ部２９等からなり、図示しないフレームに固定されて紙幣施封機に着脱可能に構成されている。
【００２６】
紙帯供給装置２０が紙幣施封機に装着されるとその紙帯供給装置２０は図示しないロック機構により紙幣施封機に固定されるとともに光学式センサ等で構成された装着検知手段３０は紙幣施封機に装着されたことを検知し、その旨を図示しない制御部へ通知するようになっている。
また、紙帯供給装置２０が紙幣施封機に装着されると紙幣施封機に設けられた図示しないモータ等の駆動手段に連結された歯車等の駆動伝達手段２５が紙帯フィードローラ２３、および紙帯フィードローラ２６、２７の回転軸に設けられた歯車等の駆動伝達手段に噛合して動力を伝達し、紙帯２１を搬送することができるようになっている。
【００２７】
なお、紙帯フィードローラ２３、および紙帯フィードローラ２６、２７は正逆回転可能に構成され、紙帯２１を紙幣結束機構１０へ送り出すことができ、また紙帯２１を紙帯リール部２２へ引き戻すことができるようになっている。
紙幣結束機構１０は、移送機構９により移送された紙幣を搬送するローラやベルト等から成る搬送手段１５および搬送手段１５で搬送された紙幣を紙帯２１で結束する図示しないワインダ手段等により構成され、以下のようにして紙幣を結束する。
【００２８】
まず、紙幣結束機構１０の搬送手段１５が移送機構９から１００枚の紙幣を一括して受け取り（図２の矢印Ａ）、結束位置（図２の矢印Ｂが示す方向）に搬送する。紙帯供給装置２０は紙帯２１を前記紙幣結束機構１０に供給し、その際、紙帯印字部２８は紙帯２１に結束する紙幣の通番・日付・店番等を印字する。印字された紙帯２１は所定の長さにカッタ部２９で切断され、この切断された紙帯２１をワインダ手段等が結束位置に搬送された１００枚の紙幣に巻き掛けて結束することにより紙幣束を作る。こうして作られた紙幣束は更に搬送手段１５により搬送され、放出口１１に送られる。
【００２９】
このように構成された紙幣施封機は、その全体の動作処理制御する中央処理装置等の制御部、動作処理制御するためのプログラム（ソフトウェア）や情報を記憶するメモリや磁気ディスク等の記憶部を備えている。
上述した構成の作用について、ロール状の紙帯２１を新たに紙帯リール部２２に装着する場合や紙帯リール部２２に装着されていたロール状の紙帯２１がなくなり、新たなロール状の紙帯２１を紙帯リール部２２に交換する場合の動作を図８の実施例における紙帯供給装置を紙幣施封機に装着する場合の説明図に基づいて説明する。
【００３０】
なお、以下に説明する実施例における紙帯供給装置２０を含む各部の動作は、紙幣施封機に設けられた図示しない記憶部（記憶手段）に格納されたプログラム（ソフトウェア）に基づいて図示しない制御部（制御手段）により制御される。
図８（ａ）は紙帯供給装置２０を紙幣施封機から引き出した状態を示す説明図、図８（ｂ）は紙帯供給装置２０を紙幣施封機に装着した状態を示す説明図である。
【００３１】
紙帯供給装置２０を操作する係員は、図８（ａ）に示すように紙幣施封機から引き出した紙帯供給装置２０の紙帯リール部２２に新たなロール状の紙帯２１を装着し、さらにその紙帯２１の先端部を紙帯フィードローラ２３に挟持させる。
係員は、図８（ｂ）に示すように紙帯２１の先端部を紙帯フィードローラ２３に挟持させた紙帯供給装置２０を紙幣施封機に押し込んで（図中矢印Ｃが示す方向）装着させる。
【００３２】
紙帯供給装置２０が紙幣施封機に装着されると装着検知手段３０は紙帯供給装置２０が装着されたことを検知し、その旨を制御部に通知する。
制御部は図示しない駆動手段を駆動させ、駆動伝達手段２５を介して紙帯フィードローラ２３、および紙帯フィードローラ２６、２７を回転させる。
紙帯フィードローラ２３は挟持した紙帯２１の先端部を紙帯搬送方向転換部２４の搬送ガイド３１、３２で形成される紙帯搬送路へ送り込み、紙帯搬送方向転換部２４は面を鉛直方向にし、かつ水平方向に送り込まれた紙帯２１を上方へ捻り、さらにその紙帯２１の面を水平方向にし、かつ紙帯リール部２２の上方に向かうように水平方向に搬送して紙帯２１の先端部を紙幣結束機構１０へ送り出す。
【００３３】
なお、紙帯リール部２２が紙幣結束機構１０の上方に配置されている場合、紙帯フィードローラ２３は挟持した紙帯２１の先端部を紙帯搬送方向転換部２４の搬送ガイド３１、３２で形成される紙帯搬送路へ送り込み、紙帯搬送方向転換部２４は面を鉛直方向にし、かつ水平方向に送り込まれた紙帯２１を下方へ捻り、さらにその紙帯２１の面を水平方向にし、かつ紙帯リール部２２の下方に向かうように水平方向に搬送して紙帯２１の先端部を紙幣結束機構１０へ送り出すものとする。
【００３４】
紙帯供給装置２０は、紙帯リール部２２に装着され、紙帯フィードローラ２３に挟持された紙帯２１の先端部を紙幣結束機構１０へ送り出して紙帯２１の装填を終了する。
このように搬送ガイド３１、３２で形成された紙帯搬送路および紙帯フィードローラ２３、ならびに紙帯フィードローラ２６、２７で紙帯２１の先端部を紙幣結束機構１０へ送り出すようにしたことにより、紙帯２１の先端部を確実に紙幣結束機構１０へ送り出すことができるようになり、紙帯２１の詰まり等の装置異常の発生を低減させることができる。
【００３５】
また、紙帯の交換を指示する係員の操作を操作表示部１３で受け付けるとその操作を受け付けた旨の通知を操作表示部１３から受けた制御部は図示しない駆動手段を駆動させ、駆動伝達手段２５を介して紙帯フィードローラ２３、および紙帯フィードローラ２６、２７を逆回転させる。
そうすると紙帯フィードローラ２３、および紙帯フィードローラ２６、２７で挟持された紙帯２１は紙帯リール部２２へ引き戻される。
【００３６】
紙帯２１は紙帯リール部２２へ引き戻されると係員の操作による紙帯２１の交換が可能になる。
なお、紙帯フィードローラ２６の近傍に光学式センサ等の図示しない紙帯装填検知手段が設けられ、紙帯２１が装填されているか否かを検知することができるようになっており、紙帯供給装置２０が紙幣施封機に装着されたとき紙帯２１が装填されている場合、上述した紙帯２１の先端部を紙幣結束機構１０へ送り出す動作は行わないものとし、また紙帯２１が装填されている場合であっても紙帯印字部２８やカッタ部２９等の初期化動作を行うことができるものとする。
【００３７】
以上説明したように、本実施例では、紙帯供給装置２０が紙幣施封機に装着されたことを検知すると制御部が駆動手段を駆動させ、駆動伝達手段２５を介して紙帯フィードローラ２３、および紙帯フィードローラ２６、２７を回転させて係員の操作により紙帯フィードローラ２３に挟持した紙帯２１の先端部を紙幣結束機構１０へ送り出すようしたことにより、紙帯２１の捻る方向や巻き付け方向を誤ることがなくなり、係員の誤操作を防止して装置の信頼性を向上させることができるという効果が得られる。
【００３８】
また、係員の作業負担を軽減および作業時間を短縮することができるという効果も得られる。
【図面の簡単な説明】
【００３９】
【図１】実施例における紙幣施封機の概略側面図
【図２】実施例における紙幣結束機構および紙帯供給装置の側面図
【図３】実施例における紙帯供給装置の斜視図
【図４】実施例における紙帯供給装置の紙帯ルートの説明図
【図５】実施例における紙帯供給装置の紙帯搬送方向転換部の側面図
【図６】実施例における紙帯供給装置の要部平面図
【図７】実施例における紙帯供給装置の要部斜視図
【図８】実施例における紙帯供給装置を紙幣施封機に装着する場合の説明図
【符号の説明】
【００４０】
１    投入口
２    鑑別部
３    搬送路
４    表裏反転部
５    オープンポケット
６    集積機構
６ａ〜６ｄ  一時集積部
８    リジェクトポケット
９    移送機構
１０  紙幣結束機構
１１  放出口
１３  操作表示部
２０  紙帯供給装置
２１  紙帯
２２  紙帯リール部
２３、２６、２７  紙帯フィードローラ
２４  紙帯搬送方向転換部
２５  駆動伝達手段
２８  紙帯印字部
２９  カッタ部
３０  装着検知手段
３１、３２  搬送ガイド
【図１】
0005343411.tif 000002
【図２】
0005343411.tif 000003
【図３】
0005343411.tif 000004
【図４】
0005343411.tif 000005
【図５】
0005343411.tif 000006
【図６】
0005343411.tif 000007
【図７】
0005343411.tif 000008
【図８】
0005343411.tif 000009